(57)【要約】　　　（修正有）【課題】しばしば内容物を出し入れすることを要する容器で、少数のビスにより内容物収容時の蓋の結合は信頼でき、出し入れのための蓋の開閉操作は簡易になし得る蓋付き容器を提供する。【解決手段】ビス止め箇所を減らすために、従来ビスで止めていた一端を金具の下部が掛かる構造とすることにより、ビス止めの一部を省略する。しかしながら、ビス止め箇所が少なくなると、少数のビス止めの緩みが原因となって、蓋が外れる恐れが出てくるので、ビスの頭部近くに引っ掛かり構造を設けて、多少の緩みに依っては、蓋が外れる事がない様にする。更に、ビスを取り外すことなく、ゆるめるだけで、外蓋が開閉できるようにする。これにより、ビスの取り付け・取り外し作業を無くすることができる。【選択図】　　　図４
0003099446.tif 000002
【実用新案登録請求の範囲】
【請求項１】
容器本体１と、外蓋２とを以って構成する蓋付き容器において、容器本体１の先端部Ｈのビス止め端には、ビス３とはめ合う雌ネジを設け、外蓋２の先端部Ｈのビス止め端にはビス３の頚部の入る切り込み６を設け、外蓋２の終端部Ｔの下部が、容器本体１の終端部Ｔの下部に引っ掛かるように折り曲げて下掛け部５を設け、容器本体１、外蓋２両者が，はまり合った状態において、容器本体１の雌ネジに入ったビス３を締めることによって、先端部Ｈのビス止め端のネジの締め付けによる取り付け効果と、終端部Ｔの下掛け部５による取り付け効果とが共に作用することによって、ビス止め端一端のみの締め付けにより、容器１、外蓋２全体を結合する構造。
【請求項２】
容器本体１と、外蓋２とを以って構成する蓋付き容器において、容器本体１の「ビス止め端」Ｈには、ビス３とはめ合う雌ネジを設け、外蓋２のビス止め端Ｈにはビス３の頚部の入る切り込み６を設け、その下部は、外側に折り曲げて、外側折り曲げ部４となし、　ビス３の少々のゆるみでは、ビス３の頭部が、当該外側折曲げ部４に掛かる様になし、外蓋２の終端部Ｔの下部が、容器本体１の終端部Ｔの下部に引っ掛かるように折り曲げ、容器本体１、外蓋２両者が，はまり合った状態において、容器本体１の雌ネジに入ったビス３を締めることによって、容器１、外蓋２全体を結合した場合、予期しないビス３の緩みがあっても、ビス３の頭部が外側折曲げ部４に掛かることによって、外蓋２が不時に開く危険を低減させ、且つ、ビス３を取り外すことなく、ゆるめるのみで、外蓋２の着脱を可能ならしめた結合構造。
【考案の詳細な説明】
【０００１】
【考案の属する技術分野】
本考案は、しばしば内容物を出し入れすることを要する容器で、内容物収容時における蓋の結合状態は信頼でき、出し入れのための蓋の開閉操作は簡易になし得る蓋付き容器に関するものである。
【０００２】
【従来の技術】
本物品は、当初は、化学機器中に粒塊状の触媒を保持するための容器として製作された。
従来の当該容器は、容器本体部と、外蓋部とからなり、容器本体部と外蓋部は、４隅において、４組の雌ネジ・小雄ネジを以って固定されていた。（本明細書においては、小雄ネジをビスと略称する）
【０００３】
触媒は、同容器に装填された状態で供給していたが、内容物・触媒を装填する際の外蓋を取り付け作業において、４箇所の止め孔の雌ネジに、ビスを装入し、ネジ締めを行う作業が、煩瑣であった。
又、触媒は、しばしば交換・洗浄を必要とするが、交換・洗浄の際も、触媒を容器からの出したり入れたりされる。その際４個のビスを緩めて、ビスを取り外し、外蓋を外し、触媒を容器外に取リ出し、触媒を新品と交換し、或いは洗浄して、改めて容器内に装填し、外蓋を取リ付け、４隅のネジ孔にビスを装入して、締める。
このような一連の作業の中で、ビスを取り付け取り外し、締めつけたり、緩めたりする作業がネックとなっていた。
【０００４】
【考案が解決しようとする課題】
内容物を出し入れする作業のうちで、特に煩瑣であるのは、ビスをネジ孔に差し込み、或いはビスを取外す作業である。ビスの取付、取外し作業が煩瑣である原因の一つは、ビスの数が多いと言う事がある。
その他、ビスが雌ネジとうまく噛み合ように挿し込むことが必要であり、又、作業中にビスがこぼれ落ちたり、時によってビスが紛失すると言うような事情が煩瑣の度合を更に高めている。これらの原因を緩和しもしくは排除することが課題である。
【０００５】
【考案が解決するための手段】
前述の、内容物装填・或いは交換の際の作業を簡易にするために、
先ず、ビス止め箇所を減らすことである。そのために、従来ビスで止めていた一端を金具の下部が引っ掛かる構造（下掛け構造と略称する）とすることにより、ビス止めの一部を省略する。
【０００６】
しかしながら、ビス止め箇所が少なくなると、残り少数のビス止めが緩んだことが原因となって、蓋が外れる恐れが出てくる。万一予期しないビスの緩みがあっても、少し緩みでは、蓋が外れない構造にすることが必要である。
【０００７】
更に、ビスを取付けたまま、ビスをゆるめるだけで、外蓋が開閉・着脱できるようにすると共に、ビスが雌ネジから外れてしまうことがないようにする事により、ビスの取り付け取り外し作業を除くことが出来る。
【０００８】
【考案の実施の形態】
【実施例】
図によって、本考案実施例について、説明する。
図４は、本考案実施例の外蓋を開口した状態を示す概念図である。
実施例は、容器本体１と外蓋２及び両者を取り付け結合するビス３とからなる。図は外蓋を開いた状態を示している。
図１及び図２は、それぞれ、容器本体１及び外蓋２を表わし、図３は、容器本体１と外蓋２を一体に組み合わせた状態を表わす。
【０００９】
容器は、全体として平板状である。本実施例においては、上面から見た平面図の通り、形状は、長方形としているが、本容器の形状は、取付けるべき機器の形状に合わせなければならないものである。従って、平板状であればその形状は問わない。
【００１０】
外蓋２は、容器本体１の上面及び側面を覆う形をなしている。
容器の深さは、充填すべき内容物（例えば触媒）の層の厚さによって定まる。内容物の量が少なく容器本体１が浅い場合には、外蓋２は、容器本体１の上面及び側面の全部を覆う形になるが、内容物の量が多く、容器本体１が深い場合には、外蓋２は、容器本体１の上面及び側面の上部を覆えば十分である。本実施例では，容器本体１が浅い場合で、側面の全部を覆う形をしている。
【００１１】
外蓋２［下掛け端］Ｔに示す通り、外蓋２の終端が、容器本体１の下部に掛かるように内側に折れ曲がった形状をしている。（以下、その部分を「下掛け端」と称する。）
【００１２】
外蓋２の「ビス止め端」Ｈに示す通り、外蓋２の先端部には、ビス３の頚部
の入る切り込みがあって、更にその下部は、外側に折り曲げてある。（以下、その端を「ビス止め端」と称する。）
ビス３の頭部は、外蓋の外側折曲げ部に引っ掛かるだけの十分な大きさを有する。
容器本体１の［ビス止め端］Ｈには、ビス３に、はめ合う雌ネジが切込んである。
【００１３】
容器本体１の［ビス止め端］Ｈの雌ネジには、ビス３が入っており、ビス３の先端は、かしめて、つぶされ、雌ネジの太さより太くなっている。そのため、ビス３は、ドライバーで回転して、必要な範囲を、容器の外側又は内側に向かって摺動できるが、容器から脱することはない。
容器本体１と外蓋２は組み合わせた状態において、外蓋２の終端Ｔの下掛け部５が、容器本体１の下部に引っ掛かることにより、且つ、先端部Ｈは、外蓋２の切り込み部が容器本体１に、ビス３を以って締められることにより、確実に組み立てられる。
【００１４】
ビス３による結合は確実に強固になされなければならないが、万一何らかの理由によって、ビス３に緩みが生じた場合においても、ビス３の頭部が、外蓋２の「ビス止め端」Ｈ側に設けた折曲がり部４に掛かることにより、容器本体１と外蓋２が外れることを防止している。
【００１５】
［本物品が考案されるに至った経緯による留意事項］
前述の通り、本物品は、当初は、化学機器中に粒状の触媒を保持するための容器としてデザインされた。その様な経緯から、本考案において、留意すべき点を，以下に述べる。
【００１６】
図においては、容器を上から見た形状は、長方形としているが、容器の形状は、組み込む化学機器等の形状に合わせることが必要であり、従って、本考案において容器の形状は問わないものとする。
【００１７】
実施例は、容器内の内容物（例えば触媒等）が液に浴し易くするために、格子状に孔を排列した容器としているが。格子状の孔は、容器としての機能には関係が無いので、本考案において孔の有無は問わないものとする。
【００１８】
図の容器は、容量が小さく、幅が狭いので、ビス止め端は、単一で十分であるが、幅が広い場合には、２個或いは３個と増加することが必要となる。本考案においてビス止め箇所の数は問わないものとする。
【００１９】
図の容器は、容量が小さく、浅いので、外蓋は、容器本体の上部及び側面の全部を覆う形になるが、容器本体が深い場合には、外蓋が容器の上面及び側面の上部のみを覆う形となる。本考案において容器の深さは問わないものとする。
【００２０】
【考案の効果】
本考案によって、
１、触媒等の洗浄、交換の為に要した作業時間が数分の一に短縮される。
２、複数点締めの際の、各点締め付けによって、容器及び外蓋に生じがちである歪みを最少に押さえる事が出来る。
３．外蓋のビス部分の切り込み構造により、緩みによって、予期しない外蓋が開口する危険を回避される。
【図面の簡単な説明】
【図１】容器本体１の実施例図面である。内訳は以下の通り
１−Ａ　容器本体１の正面図
１−Ｂ　容器本体１の平面図
１−Ｃ　容器本体１の右側面図
１−Ｄ　容器本体１のＸ−Ｘ切断面における断面図
【図２】外蓋２の実施例図面である。内訳は以下の通り
２−Ａ　外蓋２の正面図
２−Ｂ　外蓋２の底面図
２−Ｃ　外蓋２の右側面図
２−Ｄ　外蓋２のＸ−Ｘ切断面における断面図
【図３】外蓋と容器本体を嵌込んだ図面である。内訳は以下の通り
３−Ａ　外蓋・容器本体嵌込正面図
３−Ｂ　外蓋・容器本体組嵌込底面図
３−Ｃ　外蓋・容器本体組嵌込右側面図
３−Ｄ　外蓋・容器本体組嵌込Ｘ−Ｘ切断面における断面図
【図４】本容器の外蓋を開口した状態を示す概念図である。
容器本体１、外蓋２、及び両者を取り付けるビス３を表わす。
【符号の説明】
Ｈ　　外蓋及び容器本体の先端部（ビス止め端）
Ｔ　　外蓋及び容器本体の終端部（下掛け端）
１　　容器本体
２　　外蓋
３　　取付け用ビス
４　　外蓋の先端部（ビス止め端）の外側折曲げ部
５　　外蓋の終端部（下掛け端）の下掛け部
６　　外蓋の先端部の切り込み部
【図１】
0003099446.tif 000003
【図２】
0003099446.tif 000004
【図３】
0003099446.tif 000005
【図４】
0003099446.tif 000006